(57)【要約】【課題】広さが十分にない道でも容易に移動可能で、且つ広い範囲に放送の伝達が可能な拡声放送装置を提供する。【解決手段】車輌と、拡声部と、拡声部を収納して音響効果を高めるエンクロージャ部であって、前記車輌に搭載され、且つ鉛直方向上側へ伸縮自在であるエンクロージャ部と、を備える。また、エンクロージャ部が、回転可能に車輌に搭載されている。拡声部で拡声される音声信号を再生可能な再生装置と、音声信号を無線通信によって送受信可能なアンテナと、をさらに備えていてもよい。【選択図】図２
2011119894.tif 000002
【特許請求の範囲】
【請求項１】
車輌と、
拡声部と、
前記拡声部を収納して音響効果を高めるエンクロージャ部であって、前記車輌に搭載され、且つ鉛直方向上側へ伸縮自在であるエンクロージャ部と、を備えることを特徴とする拡声放送装置。
【請求項２】
前記エンクロージャ部が、回転可能に前記車輌に搭載されていることを特徴とする請求項１に記載の拡声放送装置。
【請求項３】
前記拡声部で拡声される音声信号を再生可能な再生装置と、前記音声信号を無線通信によって送受信可能なアンテナと、をさらに備えることを特徴とする請求項１または２に記載の拡声放送装置。
【発明の詳細な説明】
【技術分野】
【０００１】
本発明は、移動可能な拡声放送装置に関する。特に、拡声部を高所に保持して放送を行う拡声放送装置に関する。
【背景技術】
【０００２】
拡声放送装置は、地域の防災、応急救助及び災害復旧などの情報を発信する目的で、市町村などの自治体に設置されている。
【０００３】
図１は、特許文献１で開示されている拡声放送装置１の概略図である。図１に示すように、拡声放送装置１は、音声信号を受信するアンテナ２と、音声信号を再生する再生装置３と、音声を拡大するホーン型拡声器４と、を備えている。拡声放送装置１は、防災放送や災害放送などを発信する不図示の親局設備から音声信号を受け、該音声信号を拡大再生することによって対象区域に放送を伝える。
【０００４】
特許文献１では、一つの拡声放送装置１で広い範囲に放送を伝達するため、ホーン型拡声器４が支柱５によって高い位置に固定されている。また、複数の拡声放送装置１を対象区域内の任意の場所に配備することにより、対象区域の全てにわたって放送を伝達することが可能となる。
【０００５】
特許文献２では、特許文献１に開示されているような、広範囲に放送の伝達が可能な拡声放送装置に音声信号を発信するだけでなく、持ち運びが可能な車載無線端末や携帯端末などにも音声信号を送る方法が開示されている。したがって、対象区域の全てに拡声装置を配備しなくとも、放送を必要とする範囲に車載無線端末や携帯端末を所持した人が移動したときに、その人の所持する端末に放送を伝達することができる。
【先行技術文献】
【特許文献】
【０００６】
【特許文献１】特開平１０−２４２８７３号公報
【特許文献２】特開２００８−２８８７７４号公報
【発明の概要】
【発明が解決しようとする課題】
【０００７】
しかしながら、特許文献１で開示されている拡声放送装置では、災害が発生し支柱が倒壊した場合には音声信号の受信や再生を行うことができず、拡声放送装置の目的の一つである災害時に放送を伝達することができないという課題があった。
【０００８】
また、特許文献２で開示されている方法では、車載無線端末や携帯端末では拡声することができないため、災害情報に気付かない場合がある。拡声器を個別に移動させたとしても、特許文献１と同じ程度の高さに拡声器を固定することは難しく、伝達の範囲が限定されていた。
【０００９】
特許文献１で開示されている拡声放送装置を車輌に搭載し、移動可能にするためには、移動時の安定性の確保から大型の車輌に限定される。しかし、大型の車輌では、狭い道を進むことができず、また車輌の向きを変更するのも容易でないため、移動できる範囲が制限される。特に災害発生時には建造物の倒壊やその他の障害物により、道がさらに狭くなっていることがあり、目的の場所に移動することができないという課題があった。
【００１０】
そこで、本発明は、広さが十分にない道でも容易に移動可能で、且つ広い範囲に放送の伝達が可能な拡声放送装置を提供することを目的とする。
【課題を解決するための手段】
【００１１】
上記目的を達成するために、本発明は、車輌と、拡声部と、拡声部を収納して音響効果を高めるエンクロージャ部であって、前記車輌に搭載され、且つ鉛直方向上側へ伸縮自在であるエンクロージャ部と、を備えることを特徴とする。
【発明の効果】
【００１２】
本発明によれば、広さが十分にない道でも容易に移動可能で、且つ広い範囲に放送の伝達が可能となる。
【図面の簡単な説明】
【００１３】
【図１】従来における拡声放送装置の概略図である。
【図２】本発明の実施形態における拡声放送装置の概略図である。
【発明を実施するための形態】
【００１４】
本発明を実施するための形態について、図面を参照して詳細に説明する。
【００１５】
図２は、本発明の実施形態における拡声放送装置６の概略図である。図２に示すように、拡声放送装置６は、車輌７に音声を拡大するエンクロージャ方式拡声器８を搭載している。また、音声信号を受信するためのアンテナ２と、受信した音声信号を再生可能な再生装置３と、が車輌７に設けられている。
【００１６】
エンクロージャ方式拡声器８は、拡声部１０がエンクロージャと呼ばれる箱や構造物に収納されることによって、音響効果を高めるものである。本実施形態では、エンクロージャ方式拡声器８は、車輌７から鉛直方向上側に伸縮自在なエンクロージャ部９と、エンクロージャ部９の最も上部に配設されている拡声部１０と、を有する。エンクロージャ部が最大限に伸びた状態では、拡声部１０は高所にあり、広い範囲へ放送を伝えることができるようになっている。
【００１７】
エンクロージャ部９の伸縮自在な構造としては、中空の相似形の円柱や多角柱を大きい寸法から順に内側に内蔵させ、円柱や多角柱をスライドさせることによって伸縮が行われる構造が挙げられる。また、エンクロージャ部９を伸ばした状態で固定できる機構も備えている。
【００１８】
拡声放送装置６に使用される拡声器としては、エンクロージャ方式拡声器のほかに、ホーン型拡声器が挙げられる。ホーン型拡声器はエンクロージャ方式拡声器８に比べ、重量が大きいため、ホーン型拡声器を高所に固定するには、十分強度のある支柱を用いなければならない。したがって、強度が十分にある支柱で高所に固定されたホーン型拡声器を移動させるには、大型の車輌、例えば消防車や特殊車輌に限定される。
【００１９】
エンクロージャ方式拡声器８を用いた場合には、ホーン型拡声器を用いた場合よりも軽量化できるため、小型の車輌、いわゆる軽自動車でもエンクロージャ方式拡声器８を移動させることができる。また、エンクロージャ部９を鉛直方向上側に長くすることによって、エンクロージャ部９が支柱の役割を果たすため、支柱の重量分も軽量化することができる。
【００２０】
さらに、エンクロージャ部９は伸縮可能な構造としている。したがって、車輌７を移動させるときにはエンクロージャ部９を縮ませておくことにより、拡声放送装置６の重心が低くなり、拡声放送装置６は安定した状態で移動することができる。
【００２１】
また、エンクロージャ方式拡声器８は、回転可能に車輌７に固定されており、所望の方向に向けて音声を再生することが可能となっている。
【００２２】
次に、本発明の実施形態の動作について説明する。
【００２３】
拡声放送装置６の操作者は、対象区域に拡声放送装置６の車輌７を移動させる。拡声放送装置６の車輌７を移動させるときには、拡声放送装置６の重心を低くするためにエンクロージャ部９を縮ませておく。
【００２４】
目的の場所に移動している最中又は目的の場所に到着したときに、操作者は、アンテナ２を用いて不図示の親局設備から音声信号を受信する。親局設備は、防災放送や災害放送を無線通信することができる。
【００２５】
拡声放送装置６が目的の場所に到着したところで、操作者は車輌７を停車させる。その後、親局設備から受信した音声信号を、再生装置３を用いて再生する。音声信号を再生するときには、エンクロージャ部９を伸ばし、拡声部１０を高所に保持しておく。拡声部１０を高い位置で音声信号を再生することにより、広範囲にわたって放送を伝えることが可能となる。
【００２６】
また、対象区域の方向に応じてエンクロージャ方式拡声器８を回転させ、拡声部１０の方向を決定する。拡声部１０の方向を変えることによって、所望の方向へ放送を伝達することが可能となる。
【００２７】
本実施形態における拡声放送装置６では、拡声器にエンクロージャ方式拡声器８を用い、さらにエンクロージャ部が伸縮可能となっているため、拡声放送装置６の重心を低くすることが可能である。したがって、拡声放送装置６を安定して移動させるために、車輌７として大型の特殊車輌を用いる必要はなく、小型の車輌、いわゆる軽自動車でも十分に移動させることができる。
【００２８】
車輌７が小型化されることによって、狭い道でも進行が容易となる。また、十分に広さがない場所であっても車輌７の向きを容易に変えられる。したがって、拡声放送装置６は大型の車輌の場合に比べ、目的の場所へ容易に到達することができる。
【００２９】
さらに、アンテナ２は親局設備と送受信可能なものでもよい。拡声放送装置６から親局設備に向けて音声信号を発信できるようにしておくことによって、拡声放送装置６の操作者から親局設備に情報を伝えることも可能となる。
【符号の説明】
【００３０】
１      固定式拡声放送装置
２      アンテナ
３      再生装置
４      ホーン型拡声器
５      支柱
６      移動式拡声放送装置
７      車輌
８      エンクロージャ方式拡声器
９      エンクロージャ部
１０    拡声部
【図１】
2011119894.tif 000003
【図２】
2011119894.tif 000004